(57)【要約】  【課題】対物レンズの光軸と固体撮像装置の受光部中心との芯出し調整の簡便化を実現する。  【解決手段】前部に対物レンズユニット２７を保持する固体撮像装置枠５３の後部に嵌合孔５５を形成し、嵌合孔５５に、第２の位置調整絞り５２と固体撮像装置２８の前面に接合した第１の位置調整絞り５１とを固定する。第１の位置調整絞り５１の内形は固体撮像素子４８の受光部４７よりも大きく、又両絞り５１，５２は、その外形が略同一で内外形の中心が同軸上に位置するように形成されている。従って両絞り５１，５２の外形を揃えるだけで第２の位置調整絞り５２と受光部４７の中心とを芯出しすることができる。更に両絞り５１，５２を嵌合孔５５に嵌挿させるだけで、対物レンズの光軸と受光部４７の中心との芯出しを行うことができる。【選択図】図２
2005070366.tif 000002
【特許請求の範囲】
【請求項１】
複数の対物レンズを収容するレンズ枠を有する対物レンズ部と、
前記対物レンズ部の結像位置に配置される固体撮像装置と、
前記固体撮像装置と該固体撮像装置の前方に配置される複数の光学絞りとを保持する固体撮像装置枠と
を備え、
前記固体撮像装置の受光部中心と前記対物レンズ部の光軸とを略一致させるように前記固体撮像装置枠と前記複数の光学絞りとに位置調整手段を設けたことを特徴とする撮像装置。
【請求項２】
前記位置調整手段は、
前記複数の光学絞りの相対位置を調整する第１の位置調整手段と、
前記複数の光学絞りと前記固体撮像装置枠との相対位置を調整する第２の位置調整手段と
を備えることを特徴とする請求項１記載の撮像装置。
【請求項３】
前記第１の位置調整手段を前記各光学絞りに形成し、
前記光学絞りは、
内形が前記固体撮像装置の受光部より大きく且つ外形中心が前記受光部中心に略一致する第１の光学絞りと、
内形が前記受光部と略同一或いはそれよりも小さく且つ外形が前記第１の光学整絞りと略一致すると共に内外形中心が略一致する第２の光学絞りと
から成り、
又前記第２の位置調整手段が前記固体撮像装置枠に形成した嵌合孔であり、
前記嵌合孔の中心を、前記対物レンズ部の光軸と前記第１の光学絞りの外形中心とが略一致する位置に形成したことを特徴とする請求項２記載の撮像装置。
【請求項４】
前記第１の位置調整手段を前記光学絞りに形成し、
前記光学絞りは、
内形が前記固体撮像装置の受光部より大きく且つ内形中心が前記受光部中心に略一致させた第１の光学絞りと、
内形が前記受光部と略同一或いはそれよりも小さく且つ外形及び内形中心が前記第１の光学絞りと略一致させた第２の光学絞りと
から成り、
又前記第２の位置調整手段が前記固体撮像装置枠に形成した嵌合孔であり、
前記嵌合孔の中心を、前記対物レンズ部の光軸と前記第１の光学絞りの内形中心とが略一致する位置に形成したことを特徴とする請求項２記載の撮像装置。
【発明の詳細な説明】
【技術分野】
【０００１】
本発明は、対物レンズと固体撮像装置との芯出し調整を簡便に行うことのできる撮像装置に関する。
【背景技術】
【０００２】
例えば内視鏡の先端部には観察窓が設けられており、この観察窓に被写体像を撮像する撮像装置が配設されている。撮像装置を構成する対物レンズと固体撮像装置との間に芯ずれが生じると、視野の欠損、観察方向の傾斜等の不具合が生じる。
【０００３】
そのため、例えば特許第２６３２１７２号公報には、３本の調整ねじをレンズ枠外周の円周溝に、相互に異なる外方から係合させることで、レンズ枠を光軸に対して垂直方向へ移動させて固体撮像装置に対する対物レンズの芯出し調整を行う技術が開示されている。
【特許文献１】特許第２６３２１７２号公報
【発明の開示】
【発明が解決しようとする課題】
【０００４】
ところで、内視鏡の先端部を細径化するためには、搭載される各ユニットを小型化する必要がある。その際、撮像装置を構成する固体撮像装置を小型化するだけでは十分ではなく、固体撮像装置と対物レンズとの芯出し調整機構も小型化する必要がある。
【０００５】
しかし、上述した特許第２６３２１７２号公報に開示されている技術では、レンズ枠に調整ねじが配設されているため、小型化を実現することが困難である。
【０００６】
更に、芯出し調整に際しては、３本の調整ねじの締め込み量を各々調整しなければならず、作業が煩雑で組立工数がかかり、製品コストが高くなる不都合がある。
【０００７】
本発明は、上記事情に鑑み、芯出し作業が簡便で、しかも小型化を実現することのできる撮像装置を提供することを目的とする。
【課題を解決するための手段】
【０００８】
本発明は、固体撮像装置の受光部中心と対物レンズ部の光軸とが略一致するように固体撮像装置枠と複数の光学絞りとに位置調整手段を形成したものである。
【０００９】
具体的には、対物レンズ部と固体撮像装置との間に介在する固体撮像装置枠と光学絞りとに位置調整手段を設けることで、対物レンズ部の光軸と固体撮像装置の受光部中心との芯出し調整を簡便に行う。又、芯出し調整用の専用部品を用いることなく必要最小限の部品で撮像装置を構成するので、撮像装置が小型化される。
【００１０】
この場合、一つの態様としては、位置調整手段を、複数の光学絞りの相対位置を調整する第１の位置調整手段と、光学絞りと固体撮像装置枠との相対位置を調整する第２の位置調整手段とで構成することで、光学絞りを基準に芯出し調整を行うことができるようになり、組立作業が簡便化される。又、芯出し調整用の専用部品を用いずに必要最小限の部品で撮像装置を構成することができるので、撮像装置を小型化することができる。
【００１１】
更に、光学絞りを、その内形が固体撮像装置の受光部より大きい第１の光学絞りと、第１の光学絞りの前面に配置すると共にその外形が第１の光学絞りと略同一で内形が受光部と略同一或いはそれよりも小さい第２の光学絞りとで構成し、第１の光学絞りを固体撮像装置に対し、その外形中心と固体撮像装置の受光部中心とを芯出し調整した状態で取付けるようにしても良い。この場合、両光学絞りを対物レンズ部の光軸と略一致する位置に形成した固体撮像装置枠の嵌合孔に内嵌する構成とすることで、第１の光学絞りは、その内形が固体撮像装置の受光部よりも大きいため、受光部の全域を確認しながら受光部の中心と第１の光学絞りの外形中心との芯出しを行うことができる。更に、第２の光学絞りは第１の光学絞りと外形が略同一で、内外形の中心が同軸上にあるため、双方の外形を揃えるだけで第２の光学絞りと固体撮像装置の受光部中心との芯出しを行うことができる。又、固体撮像装置枠の、対物レンズ部の光軸と略一致する位置に、第１の光学絞りと第２の光学絞りとを内嵌する嵌合孔を形成したので、第１の光学絞りと第２の光学絞りとを嵌合孔内に嵌挿させるだけで、嵌合孔の内形にて両光学絞りの外形が位置決めされて対物レンズ部の光軸と受光部中心との芯出しを行うことができる。その結果、芯出し調整が簡便となり、しかも、撮像装置の小型化を実現することができる。
【００１２】
又、別の態様としては、第１の光学絞りを、第１の光学絞りの内形中心と固体撮像装置の受光部中心とを芯出し調整した状態で固体撮像装置に取付けるようにしても良い。この場合、第１の光学絞りの前面には、その外形が第１の光学絞りと略同一で内形が受光部と略同一或いはそれよりも小さい第２の光学絞りを配置する。そして、両光学絞りを、対物レンズ部の光軸と略一致する位置に形成した固体撮像装置枠の嵌合孔に内嵌することで、第１の光学絞りは内形が固体撮像装置の受光部よりも大きいため、受光部の全域を確認しながら受光部の中心と第１の光学絞りの内形中心との芯出しを行うことができる。又、第２の光学絞りは第１の光学絞りと外形及び内形中心が略同一であるため、双方の外形を揃えるだけで、第２の光学絞りと受光部中心との芯出しを行うことができる。又、固体撮像装置枠には対物レンズ部の光軸と略一致する位置に両光学絞りを内嵌する嵌合孔が形成されているので、固体撮像装置に取付けた第１の光学絞りと第２の光学絞りとを嵌合孔内に嵌挿させるだけで、対物レンズ部の光軸と受光部中心との芯出しを行うことができる。その結果、芯出し調整が簡便となり、しかも、撮像装置の小型化を実現することができる。
【発明の効果】
【００１３】
本発明によれば、芯出し作業が簡便化され、しかも撮像装置の小型化を実現することができる。
【発明を実施するための最良の形態】
【００１４】
（第１形態）
図１〜図６に本発明の第１形態を示す。図１に内視鏡システムの全体構成図を示す。 
同図に示すように、内視鏡検査を行う内視鏡システム１は内視鏡２を有している。内視鏡２は術者が把持して操作を行う操作部３と、この操作部３の前端に形成され、体腔内等に挿入される細長の挿入部４と、操作部３の側部からその基端が延出されたユニバーサルコード５とで構成されている。
【００１５】
又、挿入部４は、その先端に設けた硬質の先端部６と、この先端部６の後端に設けた湾曲自在の湾曲部７と、この湾曲部７の後端に設けた長尺で可撓性を有する可撓管部８とからなり、湾曲部７は操作部３に設けた湾曲操作レバー９により湾曲操作が可能である。
【００１６】
又、挿入部４の先端部６には、光学的観察を行うための対物レンズ１１を取り付けた観察窓と、この対物レンズ群１１の表面に水や空気等の流体を噴きつけるノズル１２と、照明光を出射して照明する照明窓１３と、処置具挿通孔の先端開口１４とが設けられている。
【００１７】
ノズル１２から気体と液体を選択的に噴出させるため、操作部３には送気送水操作ボタン１６と、処置具挿通孔の先端開口１４より選択的に体腔内の粘液等を回収するための吸引操作ボタン１７とが配設されている。処置具挿通孔は挿入部４内に配設された図示しないチューブ等によって形成され、操作部３の前端付近に設けた処置具挿入口１８と連通されている。
【００１８】
又、ユニバーサルコード５の末端にはコネクタ１９が設けられ、このコネクタ１９は内視鏡の光源装置２１に接続される。コネクタ１９の先端から突出する流体管路の接続端部となる口金（図示せず）と、照明光の供給端部となる、ライトガイド口金（図示せず）とは光源装置２１に着脱自在で接続され、又、側面に設けた電気接点部には接続ケーブル２３の一端が接続される。
【００１９】
又、接続ケーブル２３の他端のコネクタは内視鏡２のビデオプロセッサ２２に電気的に接続され、内視鏡２の先端部６に内蔵した撮像手段を駆動する駆動信号を供給し、この駆動信号の供給により撮像手段から出力される撮像信号（画像信号）に対して信号処理を行い映像信号を生成する。
【００２０】
そして、この映像信号を内視鏡２のモニタ２５に出力し、モニタ２５の表示面に撮像手段で撮像した画像が内視鏡画像として表示される。光源装置２１、ビデオプロセッサ２２、モニタ２５等の周辺装置は、患者情報の入力等を行うキーボード２４と共に、架台２６に配置されている。
【００２１】
光源装置２１で発生した照明光は、ユニバーサルコード５から操作部３及び挿入部４内を通した図示しないライトガイドにより伝送され、先端部６の照明窓１３から、体腔内に拡開して照射され、患部等の被写体側を照明できるようにしている。
【００２２】
先端部６の観察窓には体腔内を撮像する撮像装置３０（図２参照）が配置されている。撮像装置３０から得た体腔内観察像の画像信号は内視鏡２の内部に配設した複数の同軸線４６、単純線５４より構成される信号ケーブル４５を通じて、図１に示すコネクタ１９に設けた電気接点部に伝達され、更に接続ケーブル２３を通じてビデオプロセッサ２２に伝達される。
【００２３】
図２に示すように、撮像装置３０は、対物レンズ部としての対物レンズユニット２７と、この対物レンズユニット２７の結像位置に配置される固体撮像装置２８を有する固体撮像装置ユニット２９とで構成されている。
【００２４】
対物レンズユニット２７は、被写体側より順に平凹レンズの対物レンズ１１、両凸レンズ３１、３枚の光学フィルタ３２ａ，３２ｂ，３２ｃ、両凸レンズ３３と凹凸レンズ３４が接合されることにより形成される両凸形状の接合レンズ３５、光学フィルタ３２ｄがレンズ枠３６内に間隔環３７〜３９、フレア絞り４０，４２，４３、明るさ絞り４１を介して所定の位置に配置されることにより構成されている。
【００２５】
光学フィルタ３２ａ〜３２ｃに介在するフレア絞り４２は、光学フィルタ３２ｄの表面に蒸着されているフィルタ層同士の密着防止が主たる目的であるため、絞り内径は視野内光線を遮光しないレベルに設定されている。従って、対物レンズユニット２７のレンズ構成において、最も大きい絞り内径が必要とされる光学フィルタ３２ｄの前面に配置されるフレア絞り４２と共通で使用することで、部品点数を削減している。
【００２６】
又、所望の分光特性を有する４枚の光学フィルタ３２ａ〜３２ｄは、使用する内視鏡２の用途に応じて設定されるため、光学フィルタの枚数を削減できる内視鏡２も存在する。例えば、所望の分光特性を有する光学フィルタの枚数が３枚で十分な場合は、残りの１枚は可視域を中心に透過する特性を有する白板とすることができる。
【００２７】
その際、白板を光学フィルタ３２ｂが配置される部位に設定することで、白板を挟んで前後に配置される光学フィルタ３２ａ，３２ｃ間の距離を大きく確保することができる。
【００２８】
その結果、光学フィルタ３２ａ，３２ｃ間で乱反射するフレア光の光量を軽減でき、良好な観察画像を得ることができる。又、所望の分光特性を有する光学フィルタの枚数が２枚で十分な場合は、白板の配置を光学フィルタ３２ｂ、３２ｃが位置する箇所とすることで、光学フィルタ間の距離を大きくすることができる。その結果、光学フィルタ間で乱反射するフレア光の光量を軽減することができ、良好な観察画像を得ることができる。
【００２９】
次に、固体撮像装置ユニット２９の構成を説明する。固体撮像装置ユニット２９を構成する固体撮像装置２８は、受光部４７を有する固体撮像素子４８と、受光部４７を覆うように紫外線硬化型接着剤にて固定されたカバーガラス４９と、固体撮像素子４８の裏面に２列に形成されたリードピン５０ａ、５０ｂとを備えている。
【００３０】
又、固体撮像装置２８の前面に配設したカバーガラス４９に、その内形が受光部４７よりも大きい、第１の光学絞りとしての第１の位置調整絞り５１が、外形中心と受光部４７の中心とを芯出しした位置で、接着等の手段を用いて接合されている。
【００３１】
又、レンズ枠３６の後部が固体撮像装置枠５３の前部に挿通支持されている。又、固体撮像装置枠５３の後部に、図６に示すようなロの字状に形成された嵌合孔５５が開口されている。嵌合孔５５の光軸は、対物レンズユニット２７の光軸と略一致しており、この嵌合孔５５に、固体撮像装置２８の前面に接合されている第１の位置調整絞り５１が、第２の光学絞りとしての第２の位置調整絞り５２と共に嵌挿され、接着剤５６にて固定されている。又、第１の位置調整絞り５１と第２の位置調整絞り５２とは外形が略同一で、更に、第２の位置調整絞り５２は、その内形がフレアを防止するために、第１の位置調整絞り５１の内形よりも小さく且つ受光部４７と略同一或いはそれよりも小さい径で形成されている。
【００３２】
一方、固体撮像装置２８から延出するリードピン５０ｂ列を接続する回路基板５９は、実装面が撮像装置３０の光軸中心側に指向された状態で内装されている。回路基板５９の実装面にはコンデンサ５７、信号増幅用のＩＣ５８等の電子部品が実装されている。回路基板５９の実装面を撮像装置３０の光軸中心側に指向させることで、実装されている電子部品を固体撮像装置２８の裏面投影面積内に収めることが可能となり、その分、撮像装置３０の外形を小型化することができる。尚、回路基板５９には後述する信号線接続ランドとリードピン接続ランドが形成されている。
【００３３】
次に、図４を用いてＩＣ５８の実装状態を説明する。 
ＩＣ５８は回路基板５９上に形成したセカンドボンディングパット６６とＩＣ５８上に形成したボンディングパット６７とがワイヤ６８を介してボンディング（いわゆる、ワイヤボンディング）されることで、回路基板５９上に実装されている。
【００３４】
この場合、１つのセカンドボンディングパット６６ａから、複数のボンディングパット６７ａ，６７ｂに対してワイヤボンディングを行うことにより、セカンドボンディングパット６６の個数を削減することができ、回路基板５９の小型化を実現することができる。
【００３５】
又、ワイヤ６８を交差させて配線することで、回路基板５９及びＩＣ５８に形成するボンディングパット６６，６７のレイアウトの自由度を増すことができ、回路基板５９をより一層小型化することができる。尚、ＩＣ５８の実装部はエポキシ系のポッティング剤６０にて封止されている（図２参照）。
【００３６】
又、図２に示すように、リードピン５０ａ列は回路基板５９との干渉を避けるために屈折されており、信号ケーブル４５を構成する複数の同軸線４６が、リードピン５０ａの屈折部より後方の直線部に半田等により接続されている。各リードピン５０ａ列は、固体撮像装置２８を駆動動作させるためのクロックパルスが入力されるもので、垂直転送パルスであるΦＰ１、ΦＰ２、水平転送パルスであるΦＳ２、ΦＳ１、増幅ゲートパルスであるΦＣＭＤの５本で構成されている。
【００３７】
又、図３は固体撮像装置ユニット２９を回路基板５９の実装面側から見た断面図である。同図に示すように、回路基板５９を接続するリードピン５０ｂ列は、グランド（いか、「ＧＮＤ」と略称）、ノーコネクション、映像出力、電源電圧、電子シャッターの５本で構成されており、ノーコネクションピン６２を除く、他のリードピンは回路基板５９に形成されたリードピン接続ランド６１に半田等により接続されている。
【００３８】
尚、リードピン５０ｃとコンデンサ５７とはジャンパ線６４を介して接続されるが、ジャンパ線６４の回路基板５９への接続ランド６５を、リードピン５０ｃの接続ランド６９と隣接する位置に配置することで、双方の固定作業を一度に行うことができ、作業効率が向上する。又、接続ランド６５と６９とを半田等でブリッジ接続することができるので、回路基板５９内に接続ランド６５と６６とを結線する配線を設ける必要がなくなり、製品コストの低減を図ることができる。一方、リードピン接続ランド６１ａの近傍にケーブル接続ランドを形成するスペースを確保することが困難な場合は、リードピン５０ｄ上に同軸線６３を重ねて接続することで、回路基板５９の小型化を実現することができる。
【００３９】
又、信号ケーブル４５を構成する単純線５４と同軸線４６とは、具体的には２本の単純線５４と８本の同軸線４６とを有している。単純線５４は、固体撮像装置２８及びＩＣ５８の電源電圧用とＧＮＤ用である。一方、８本の同軸線４６は、前述したΦＰ１、ΦＰ２、ΦＳ１、ΦＳ２、ΦＣＭＤ、電子シャッター、映像出力、ＧＮＤ用であり、これら各同軸線４６の外部導体もＧＮＤ用として使用するので、ＧＮＤが強化されノイズのない良好な画像を得ることができる。
【００４０】
尚、図５に示すように各同軸線４６の外部導体は、高周波信号を転送する信号群７６（ΦＳ１、ΦＳ２、ΦＣＭＤ）と、それ以外の信号群７７（ΦＰ１、ΦＰ２、電子シャッター、映像出力）とに分離し、銅線８０にて撚り束ねているので、信号線間のクロストークを防止することができ、ノイズのない良好な画像を得ることができる。
【００４１】
以上のＧＮＤ線は全てＧＮＤ統括部材７０内に収容され、半田等で同電位になされているので、ＧＮＤレベルが変動し難く、ノイズのない良好な画像を得ることができる。
【００４２】
又、ＧＮＤ統括部材７０内には、回路基板５９上のコンデンサ５７に結線されるＧＮＤジャンパー線７１も合わせて半田等で接続されている。尚、符号８１は単純線５４のＧＮＤ線である。
【００４３】
更に、ＧＮＤ統括部材７０の外周には絶縁テープ７３が巻回されており、ＧＮＤ以外の信号線や回路基板５９に実装されている電子部品とのショート及び、固体撮像装置枠５３（図２、図３参照）の後端に外嵌するシールドワク７２との接触を防止している。尚、シールドワク７２内には、固体撮像装置２８を始めとする電装部を封止するためのエポキシ系の封止樹脂７８が充填されている。又、シールドワク７２の外周に熱収縮チューブ７９が被覆されている。シールドワク７２の外周を熱収縮チューブ７９で被覆することで、外部からの湿気の侵入を防止し、耐久性の向上を図ることができる。
【００４４】
又、信号ケーブル４５の外周には保護チューブ７４が被覆されており、保護チューブ７４の先端部は糸７５が巻き締められて抜けないように固定されている。
【００４５】
このように、本形態では、図６（ａ），（ｂ）に示すように、第１の位置調整絞り５１の内形が、固体撮像素子４８の受光部４７よりも大きいので、受光部４７の全域を確認しながら受光部４７の光軸中心と第１の位置調整絞り５１の外形中心との芯出しを行うことができる。又、図６（ｂ），（ｃ）に示すように、第２の位置調整絞り５２は、第１の位置調整絞り５１と外形が略同一であり、内外形の中心が同軸上にあるため、双方の外形を揃えるだけで、第２の位置調整絞り５２と受光部４７の中心との芯出しを行うことができる。
【００４６】
更に、図６（ｄ）に示すように、固体撮像装置枠５３には対物レンズユニット２７の光軸と略一致する位置に、第１の位置調整絞り５１及び第２の位置調整絞り５２を内嵌する嵌合孔５５を形成したので、固体撮像装置２８に取付けた第１の位置調整絞り５１と第２の位置調整絞り５２とを嵌合孔５５内に嵌挿させるだけで、両位置調整絞り５１，５２の外形が嵌合孔５５の内形に位置決めされて対物レンズユニット２７の光軸と受光部４７の中心との芯出しを行うことができる。その結果、撮像装置３０の芯出し調整が簡便隣、且つ小型化を実現することができる。
【００４７】
（第２形態）
図７に本発明の第２形態を示す。本形態では、第１形態に示す第１の位置調整絞り５１に代えて第１の位置調整絞り８５を採用し、第２の位置調整絞り５２に代えて第２の位置調整絞り８６を採用し、固体撮像装置枠５３に代えて固体撮像装置枠８７を採用しており、それ以外の構成は、第１形態と同一である。従って、以下においては、図２に示す第１の位置調整絞り５１を第１の位置調整絞り８５と読み換え、第２の位置調整絞り５２を第２の位置調整絞り８６と読み換え、固体撮像装置枠５３を固体撮像装置枠８７と読み換えて説明する。
【００４８】
第１の位置調整絞り８５は、内形が受光部４７よりも大きく形成されており、第１の位置調整絞り８５の内形中心と固体撮像装置２８の受光部４７の中心とが芯出し調整されて、固体撮像装置２８のカバーガラス４９に接着剤にて接合される。
【００４９】
第１の位置調整絞り８５の前面には、外形が略同一で内形が、第１の位置調整絞り８５の内形よりも小さく且つ受光部４７と略同一或いはそれよりも小さい第２の位置調整絞り８６が配置される。そして、この第１の位置調整絞り８５、第２の位置調整絞り８６を、対物レンズユニット２７の光軸と略一致する位置に形成された固体撮像装置枠８７の嵌合孔５５に内嵌する。
【００５０】
このように、本形態によれば、図７（ａ），（ｂ）に示すように、第１の位置調整絞り８５は内形が固体撮像装置２８の受光部４７よりも大きいため、受光部４７の全域を確認しながら、受光部４７の中心と第１の位置調整絞り８５の内形中心との芯出しを行うことができる。
【００５１】
又、図７（ｂ），（ｃ）に示すように、第２の位置調整絞り８６は、第１の位置調整絞り８５と外形及び内形中心が略同一であるため、双方の外形を揃えるだけで、第２の位置調整絞り８６と受光部４７の中心との芯出しを行うことができる。
【００５２】
更に、図７（ｄ）に示すように、固体撮像装置枠８７には対物レンズユニット２７の光軸と略一致する位置に、第１の位置調整絞り８５及び第２の位置調整絞り８６を内嵌する嵌合孔５５が形成されているので、固体撮像装置２８に取付けた第１の位置調整絞り８５と第２の位置調整絞り８６とを嵌合孔５５内に嵌挿させるだけで、対物レンズユニット２７の光軸と受光部４７の中心との芯出しを行うことができる。
【００５３】
その結果、撮像装置３０の芯出し調整を簡便化することができる。又、受光部４７の中心を位置調整絞り８６の外形中心とは異なる任意の位置に配置することができるので、固体撮像装置２８よりも後方の外形形状を任意の形状に形成することが可能となる。従って、内視鏡２内の他の収容物との干渉を避けることができ、先端部６の細径化を実現することができる。
【００５４】
（第３形態）
図８に本発明の第３形態を示す。本形態は回路基板５９に対する電子部品の別の実装例を示したものである。
【００５５】
すなわち、同図に示すように、回路基板５９上に実装したコンデンサ５７上に、更にコンデンサ８２と単純線８３とを半田等を用いて固定することで、回路基板５９上のコンデンサ実装用のランドスペースを削減することができる。そして、削減されたランドスペースの部位に信号線８４を配線することで、実装効率が向上し、相対的に回路基板５９の小型化を実現することができる。この場合、コンデンサ８２と単純線８３とを個別に半田等を用いて固定すると、一方を固定している半田等が溶融してしまうため、同時に半田付けする。
【００５６】
このように、本形態では、回路基板５９上に電子部品を立体的に実装することで、実装効率の向上を図り、相対的に回路基板５９の小型化、及び内視鏡２の先端部６の細径化を実現することができる。
【図面の簡単な説明】
【００５７】
【図１】第１形態による内視鏡システムの全体構成図
【図２】同、内視鏡先端部の観察窓に配設されている撮像装置の断面側面図
【図３】同、図２に示す回路基板を実装面側から見た断面図
【図４】同、回路基板の斜視図
【図５】同、図２のＶ−Ｖ断面図
【図６】同、（ａ）は固体撮像素子の正面図、（ｂ）は第１の位置調整絞りの正面図、（ｃ）は第２の位置調整絞りの正面図、（ｄ）は固体撮像装置枠の正面図
【図７】第２形態を示し、（ａ）は固体撮像素子の正面図、（ｂ）は第１の位置調整絞りの正面図、（ｃ）は第２の位置調整絞りの正面図、（ｄ）は固体撮像装置枠の正面図
【図８】第３形態による図５相当の断面図
【符号の説明】
【００５８】
２  内視鏡
６  先端部
２８  固体撮像装置
３０  撮像装置
４８  固体撮像素子
５１，８５  第１の位置調整絞り
５２，８６  第２の位置調整絞り
５３，８７  固体撮像装置枠
５５  嵌合孔
代理人    弁理士    伊  藤    進
【図１】
2005070366.tif 000003
【図２】
2005070366.tif 000004
【図３】
2005070366.tif 000005
【図４】
2005070366.tif 000006
【図５】
2005070366.tif 000007
【図６】
2005070366.tif 000008
【図７】
2005070366.tif 000009
【図８】
2005070366.tif 000010